(57)【特許請求の範囲】
【請求項１】
被写体を撮影する撮影手段と、
上記被写体を撮影するときに操作する第１の撮影操作手段と、
上記撮影する被写体のズーム倍率をズーム釦を押して操作するズーミング操作手段と、
自分自身の姿を被写体として撮影するときに操作する第２の撮影操作手段と
を有する撮影装置において、
自分自身の姿を被写体として撮影するときに、上記ズーム倍率をワイド側にしたときに撮影される映像の大きさを映し出す凸面鏡を備え、
上記第１の撮影操作手段が操作されたときは、上記ズーミング操作手段で操作されたズーム倍率で撮影を開始するとともに、
上記第２の撮影操作手段が操作されたときは、撮影を開始する前に上記ズーム倍率を、上記ズーミング操作手段で操作されたズーム倍率から自動的にワイド側にするように制御する制御手段を有する撮影装置であって、
上記第２の撮影操作手段は、操作されてから所定の時間の経過後に撮影が開始されるセルフタイマー撮影が可能に構成され、
上記第２の撮影操作手段が操作されたときには、上記ズーム倍率を自動的にワイド側にする制御を、上記制御手段が、上記所定の時間が経過している間に行なうことを特徴とする撮影装置。
【発明の詳細な説明】
【０００１】
【産業上の利用分野】
この発明は、ビデオカメラや銀塩フィルムを用いるスチルカメラ等の撮影装置であって、撮影する者が自分自身の姿を被写体として撮影する際に、ズーム倍率を自動的にワイド側に制御するようにしたものに関する。
【０００２】
【従来の技術】
例えば、撮影レンズ等を備えたカメラ部をモニター側に回動自在にして撮影できるようにしたビデオカメラが、実開昭６３−１７８９６２号公報に開示されている。これを、図３４，３５によって具体的に説明すると、１００はビデオカメラであり、背面側にモニターとしてのカラー液晶パネル（ＬＣＤ）１０２とＶＴＲデッキ部１０３を備えたＶＴＲ本体１０１と、このＶＴＲ本体１０１の上部の凹部１０１ａ内に回動つまみ１０５等を介して前後方向に回動自在に支持され、撮影レンズ１０６やＣＣＤ等を内蔵するレンズ鏡胴１０４ａを備えたカメラ本体１０４とで構成されている。
【０００３】
上記カラー液晶パネル１０２は、カメラ本体１０４をカラー液晶パネル１０２と同じ方向（手前側）に向け、自分自身の姿を被写体として撮影（自作自演）するときに、カラー液晶パネル１０２に表示される被写体の映像を反転させ、あたかも鏡面で見ているように構成したものである。即ち、図３５（ｂ）に示すように、カメラ本体１０４のレンズ鏡胴１０４ａを手前に向けて使用すれば、カラー液晶パネル１０２に自分自身の姿を写し出すことができ、鏡の代わりとして用いられる。また、図３５（ａ）に示すように、通常撮影をする場合は、カメラ本体１０４のレンズ鏡胴１０４ａを前に向けて撮影する。これにより、ＶＴＲ本体１０１のカラー液晶パネル１０２に撮影する被写体が表示され、その被写体がＶＴＲデッキ部１０３内の図示しないテープカセットの磁気テープに録画される。
【０００４】
ところで、上記従来のビデオカメラ１００では、例えば自作自演により自分自身の姿を撮影できるように、カラー液晶パネル１０２の表示を反転させてあたかも鏡面を見ているように構成しているが、カメラ本体１０４を回動させる回動つまみ１０５等からなる機構や、カラー液晶パネル１０２の掃引を反転させるための回路や、反転専用のＬＣＤを必要としているため、高価になるだけでなく、上記機構や回路を組み込むための余分なスペースが必要となり、全体の軽量・小型化を図ることができなかった。
【０００５】
このため、カメラ本体を回動させることなく、カメラ本体の前面に自己撮影用の鏡を配置することにより、カメラ本体を持って自己撮影をする際に鏡に自分自身の姿を被写体として写し出し、当該鏡をファインダーとして用いることができる構成にしてもよい。
【０００６】
【発明が解決しようとする課題】
ところが、このカメラにズーミング操作手段を設けた場合は、カメラで撮影される映像はカラー液晶パネルに表示されるので、ズーミング操作手段がワイド側になっているか望遠側になっているか認識できるが、鏡の場合は鏡に映っている姿を見て撮影するので、ズーミング操作手段がワイド側になっているか望遠側になっているか認識できず、望遠側になっていた場合には再生したときに顔の一部しか写っていなかったというトラブルが発生する問題がある。
【０００７】
そこで、この発明は斯かる課題を解決し、自己撮影のための自己撮影設定の作業を行なえば、ズーミング操作手段が自動的に鏡に映る姿と同様のワイド側になり、自己撮影が適正に行なえる撮影装置を提供することを目的とする。
【０００８】
【課題を解決するための手段】
斯かる目的を達成するための請求項１に係る発明の構成は、被写体を撮影する撮影手段と、上記被写体を撮影するときに操作する第１の撮影操作手段と、上記撮影する被写体のズーム倍率をズーム釦を押して操作するズーミング操作手段と、自分自身の姿を被写体として撮影するときに操作する第２の撮影操作手段とを有する撮影装置において、自分自身の姿を被写体として撮影するときに、上記ズーム倍率をワイド側にしたときに撮影される映像の大きさを映し出す凸面鏡を備え、上記第１の撮影操作手段が操作されたときは、上記ズーミング操作手段で操作されたズーム倍率で撮影を開始するとともに、上記第２の撮影操作手段が操作されたときは、撮影を開始する前に上記ズーム倍率を、上記ズーミング操作手段で操作されたズーム倍率から自動的にワイド側にするように制御する制御手段を有する撮影装置であって、上記第２の撮影操作手段は、操作されてから所定の時間の経過後に撮影が開始されるセルフタイマー撮影が可能に構成され、上記第２の撮影操作手段が操作されたときには、上記ズーム倍率を自動的にワイド側にする制御を、上記制御手段が、上記所定の時間が経過している間に行なうことを特徴とする。
【００１０】
【作用】
請求項１に係る撮影装置では、第２の撮影操作手段を操作して自分自身の姿を被写体として撮影すると、制御手段がズーム倍率を自動的にワイド側に制御するので、凸面鏡を見ながら自己撮影をした場合に、ズームが望遠になっているのに気付かずに録画してしまい、再生したときに顔の一部しか写っていなかったという従来のようなトラブルが生じない。また、第２の撮影操作手段が操作されたときには、所定の時間が経過している間にズーム倍率が自動的にワイド側に制御されることから、セルフタイマー撮影で撮影が開始されるまでの所定の時間内にズーム倍率がワイド側となり、時間を有効に使いながら撮影の主体である被撮影者がポーズを作る時間が与えられることになる。
【００１２】
【実施例】
以下、この発明の実施例を図面と共に詳述する。
【００１３】
図１〜３において、１Ａは第１実施例の撮影装置としてのビデオカメラを示す。このビデオカメラ１Ａは、略直方体形のカメラ本体２の右側面のグリップ部側が図示しないテープカセットの磁気テープに被写体を録画するＶＴＲデッキ部２ａになっていると共に、左側面上側に録画中の被写体の状態を確認する電子式のビューファインダー３を備えている。また、カメラ本体２の前面上側にはマイクロフォン４を突設してあると共に、その左下側には撮影レンズ５や図示しない撮像素子（ＣＣＤ）等を内蔵した円筒状のレンズ鏡胴（撮影手段）６を突設してある。さらに、カメラ本体２の上面後側にはズーム釦７を設けてあると共に、カメラ本体２の背面には図示しない撮影スタート／ストップ釦（第１の撮影操作手段）やバッテリー８を備えている。
【００１４】
図１，図２に示すように、カメラ本体２の前面の右下側には自己撮影用の撮影スタート／ストップ釦（第２の撮影操作手段）９を設けてある。この撮影スタート／ストップ釦９は、最初の押圧操作により撮影レンズ５等からなるズームレンズ（ズーミング操作手段）をワイド端（広角いっぱいの状態）側に一旦移動させたのちに録画を開始させると共に、再度の押圧操作によりその録画を停止させるようになっている（制御手段）。また、レンズ鏡胴６の撮影レンズ５の最も外側にあるレンズ（フロントレンズ）の外面が凸球面の形状に形成され、この凸球面にハーフミラー１０を蒸着等の手段により形成してある。これにより、撮影レンズ５のフロントレンズの外面がハーフミラー状の凸面鏡１０になっており、カメラ本体２の前面の自己撮影用の撮影スタート／ストップ釦９を操作する際に、自分の姿が被写体として写し出されるようになっている。このハーフミラー状の凸面鏡１０は、外光の一部を反射させ、残りを撮影レンズ５よりレンズ鏡胴６内に入射させるものである。
【００１５】
尚、図１，２中、符号３ａはビューファインダー３に設けられたタリーランプである。また、ビデオカメラ１Ａは、スチルカメラと比べ感度が高いため、レンズ鏡胴６の撮影レンズ５のフロントレンズの外面をハーフミラー状の凸面鏡１０に形成しても、屋外または通常の屋内では十分撮影可能である。
【００１６】
以上実施例のビデオカメラ１Ａによれば、図３に示すように、例えば一人で旅行しているときに自分を入れた風景を撮影したい場合に、ビデオカメラ１Ａを左手に持ち替えてレンズ鏡胴６側を手前にして撮影する。このとき、レンズ鏡胴６の撮影レンズ５のフロントレンズの外面がハーフミラー状の凸面鏡１０になっているので、図１に示すように、このハーフミラー状の凸面鏡１０に自分自身の姿が被写体Ａとなって写し出されるので、当該凸面鏡１０をファインダーとして用いることができ、被撮影者自らが自分の画面上での位置（撮影状態）を確認することができる。そして、左手の親指で撮影スタート／ストップ釦９を押すことにより自分自身の姿を撮影することができる。この撮影スタート／ストップ釦９を押すと、一旦ビデオカメラ１Ａのズームが広角いっぱいになったのちに録画を開始する。そのため、ズームが望遠になっているのに気付かずに録画して、顔の一部しか写らなかったということはなく、だれでも間違いなく簡単に撮れるという優れた効果を奏する。
【００１７】
さらに、ファインダーとして使用される上記ハーフミラー状の凸面鏡１０はレンズ鏡胴６の撮影レンズ５のフロントレンズの外面に形成してあり、ファインダー光学系の光軸（軸芯）と撮影レンズ５の光軸（軸芯）とが一致しているので、パララックスが発生することはない。これにより、自己撮影したものを再生したときに、従来のように目線のズレがなく、異和感のない良好な自己撮影が可能となる。また、大型のカラー液晶パネル等から成るモニターのついていないビデオカメラ１Ａでも自己撮影を簡単且つ確実に行うことができる。
【００１８】
図４，図５は、上記第１実施例のビデオカメラ１Ａの凸面鏡１０の他の態様を示す。この凸面鏡１０には、画面枠としての矩形環状の画枠１０ａを印刷（マーキング）してある。この画枠１０ａの大きさは、ビデオカメラ１Ａの広角いっぱいの状態（ワイド端）で撮影される映像の大きさ（再生時にＴＶモニター等で表示される画面）と略同じかやや小さく形成してある。
【００１９】
そして、図５に示すように、自分自身の姿を被写体Ａとして撮影する際に、ハーフミラー状の凸面鏡１０の画枠１０ａにより自分の画面上での位置を確認することができると共に、被写体Ａの水平線，垂直線がわかるので、より確実な撮影が可能となる。但し、撮影レンズ５に入る光量は画枠１０ａのマーキングで隠される分減ってしまうが、撮影には何ら影響はない。
【００２０】
図６〜８において、１Ｂは第２実施例の撮影装置としてのビデオカメラを示す。このビデオカメラ１Ｂは、略直方体形のカメラ本体２の右側面側にＶＴＲデッキ部２ａを、左側面上側に電子式のビューファインダー３を、前面上側にマイクロフォン４を、その左下側に撮影レンズ５や図示しない撮像素子（ＣＣＤ）等を内蔵した円筒状のレンズ鏡胴６を、上面後側にズーム釦７を、背面にバッテリー８を、前面の右下側に自己撮影用の撮影スタート／ストップ釦（撮影釦）９等を、それぞれ設けてある点は、前記第１実施例と同様である。
【００２１】
ここで、図７に示すように、レンズ鏡胴６の内周面の前側に形成されたねじ部６ａに、被写体Ｂを写し出す凸面鏡２０を着脱自在にしてある。このレンズ鏡胴６のねじ部６ａには撮影レンズ５に入る光量を調整する図示しない略円板状の光量調整フィルタや広角用或は望遠用のコンバージョンレンズが嵌め込まれるようになっているが、図６，７に示すように、上記凸面鏡２０は上記光量調整フィルタと同様の形をしている。即ち、凸面鏡２０は、合成樹脂等からなる円形環状のリング２１と、このリング２１に回転自在に嵌合，支持された凸球面状のハーフミラー２２とで構成されている。
【００２２】
凸面鏡２０のリング２１の外周面の後側には上記レンズ鏡胴６のねじ部６ａに螺合するねじ部２１ａを形成してある。図６，７に示すように、凸面鏡２０をレンズ鏡胴６に螺合したときに、ファインダーとして使用される凸面鏡２０の光軸（軸芯ＣB）と撮影レンズ５の光軸（軸芯Ｃ0）とが完全に一致するように形成してある。これにより、パララックスが発生しないようになっている。また、凸面鏡２０のハーフミラー２２の表面には画枠２２ａを印刷してある。この画枠２２ａは、ビデオカメラ１Ｂで撮る映像Ｂ（図８に示すＴＶモニターで再生される画像）の大きさを表している。このハーフミラー２２の画枠２２ａの位置は、凸面鏡２０をレンズ鏡胴６に螺着した後で、ハーフミラー２２をリング２１に対して回転させることにより正しい位置に合わすことができるようになっている。
【００２３】
そして、図８に示すように、ビデオカメラ１Ｂを三脚Ｓに固定して自分自身の姿を撮影する場合において、ビデオカメラ１Ｂのレンズ鏡胴６に取付けられた凸面鏡２０に自分自身の姿が被写体Ｂとして写し出され、カメラ本体２の前面の撮影スタート／ストップ釦９を押すことにより自分自身の姿を撮影することができる。この時、凸面鏡２０の光軸（軸芯ＣB）と撮影レンズ５の光軸（軸芯Ｃ0）とが完全に一致するようになっているので、パララックスは全く発生しない。これにより、自己撮影したものを再生したときに、従来のように目線のズレがなく、異和感のない良好な自己撮影が可能となる。さらに、図８に示すように、凸面鏡２０のハーフミラー２２の画枠２２ａにより被写体Ｂの画面上での位置即ち撮影状態が確認できると共に、被写体Ｂの水平線，垂直線がわかるので、より確実な撮影が可能となる。但し、撮影レンズ５に入る光量は画枠２２ａのマーキングで隠される分減ってしまうが、撮影には何ら影響はない。
【００２４】
図９，１０に、上記第２実施例に用いられる撮影レンズ５と凸面鏡２０の各光学系を説明する。図９は撮影レンズ５の光学系を示し、図１０は凸面鏡２０の光学系を示す。撮影レンズ５の光学系において、倒立実像（ＣＣＤ面）Ｌ′から撮影レンズ５までの距離をｖ、撮影レンズ５から正立実像（Ｌ）までの距離をｕ、撮影レンズ５の焦点距離をｆとし、また、凸面鏡２０の光学系において、正立虚像から凸面鏡２０までの距離をｖ0、凸面鏡２０から正立実像（Ｌ0）までの距離をｕ0、凸面鏡２０の焦点距離をｆ0、各倍率をそれぞれｍ，ｍ0とすると、
ｖ＝ｆ／｛１＋（ｆ／ｕ）｝  …（１）
ｖ0＝−ｆ0／｛１＋（ｆ0／ｕ）｝  …（２）
ｍ＝ｖ／ｕ  …（３）
ｍ0＝ｖ0／ｕ0  …（４）
ｕ＝ｕ0として、（１）〜（４）式より
ｍ／ｍ0＝ｆ／ｆ0となる。
【００２５】
その結果、凸面鏡２０の画面枠とＣＣＤの画面枠の寸法の比は、凸面鏡２０と撮影レンズ５の各焦点距離の長さの比になる。これらか凸面鏡２０の半径を大きくすればより大きな鏡面像が得られることがわかる。
【００２６】
図１１〜１７は、上記実施例のビデオカメラ１Ｂに用いられる凸面鏡の他の態様を示す。上記ビデオカメラ１Ｂに用いられる第１態様の凸面鏡２０では光量調整フィルタと同様の丸形に形成したが、図１１に示す第２態様の凸面鏡２０Ｂのように薄い直方体形に形成してもよい。この凸面鏡２０Ｂでは、矩形で凸球面状のハーフミラー２２′に大，小のＬ字形の画枠２２ａ，２２ｂをそれぞれマーキングしてある。そして、凸面鏡２０Ｂは、その後側のねじ部２１ａを介してビデオカメラ１Ｂのレンズ鏡胴６に着脱自在に螺着されるようになっている。
【００２７】
また、図１２，１３，１４に示す第３，第４，第５態様の凸面鏡２０Ｃ，２０Ｄ，２０Ｅは、第１態様の凸面鏡２０と同形に形成してある。図１２に示す第３態様の凸面鏡２０Ｃは、ハーフミラー２２のＣ部分のメッキが中央ほど薄くなっている点が第１態様のものと異なる。また、図１３（ａ）に示す第４態様の凸面鏡２０Ｄは、リング２１にミラー２２を回転自在に嵌合支持してあり、このミラー２２の中央に丸孔２２ｄを形成してある点が第１態様のものと異なる。この凸面鏡２０Ｄを用いると、ＴＶモニターによる再生画像は図１３（ｂ）に示すような画像Ｄとなる。さらに、図１４（ａ）に示す第５態様の凸面鏡２０Ｅは、ハーフミラー２２の中央の部分２２ｅをメッキしないものである。この部分２２ｅの外周縁はギザギザに形成してあるので、この凸面鏡２０Ｅを用いると、ＴＶモニターによる再生画像は図１４（ｂ）に示すようなピントが少しボケた面白い画像Ｅとなる。
【００２８】
さらに、図１５に示す第６態様の凸面鏡２０Ｆは、手動により画枠の大きさを可変自在にしたものである。即ち、この凸面鏡２０Ｆは、合成樹脂等からなる円形環状のリング２１と、このリング２１に回転自在に嵌合，支持された凸球面状のハーフミラー２２と、画枠の大きさ（矩形の開口部２３ａ〜２３ｄ）がそれぞれ異なり、上記ハーフミラー２２に剥離自在に貼付される例えば半透明の５枚のシート２３とで構成されている。これにより、ビデオカメラ１Ｂの倍率に対応させて最適なシート２３に貼り換えて画枠の大きさを可変することができる。
【００２９】
また、図１６，図１７に示す第７，８態様は、コンバージョンレンズとしての０．５倍，０．７倍用等のワイドコンバージョンレンズ３０，３５を示す。図１６（ａ），（ｂ）に示すワイドコンバージョンレンズ３０は、合成樹脂等からなる円形環状のリング３１と、このリング３１に嵌合され、外面側に凸球面３２ａを有した広角レンズ３２と、この広角レンズ３２の凸球面３２ａに蒸着されたハーフミラー３３とで構成されている。そして、ワイドコンバージョンレンズ３０のハーフミラー３３により凸面鏡が構成され、該ワイドコンバージョンレンズ３０はリング３１の後側のねじ部３１ａを介してビデオカメラ１Ｂのレンズ鏡胴６に着脱自在に螺着される。
【００３０】
さらに、図１７（ａ），（ｂ）に示すワイドコンバージョンレンズ３５は、合成樹脂等からなる円筒状のリング３６と、このリング３６に嵌合され、最も外側のレンズの内面が凹球面３７ａになっている広角レンズ群３７と、この広角レンズ群３７の最も外側のレンズの内面である凹球面３７ａに蒸着されたハーフミラー３８とで構成されている。そして、ワイドコンバージョンレンズ３５のハーフミラー３８により凸面鏡が構成され、該ワイドコンバージョンレンズ３５はリング３６の後側のねじ部３６ａを介してビデオカメラ１Ｂのレンズ鏡胴６に着脱自在に螺着される。
【００３１】
図１８〜２０において、１Ｃは第３実施例の撮影装置としてのビデオカメラを示す。このビデオカメラ１Ｃは、略直方体形のカメラ本体２の右側面側にＶＴＲデッキ部２ａを、左側面上側に電子式のビューファインダー３を、前面上側にマイクロフォン４を、その左下側に撮影レンズ５や図示しない撮像素子（ＣＣＤ）等を内蔵したレンズ鏡胴６を、上面後側にズーム釦７を、背面にバッテリー８を、前面の右下側に自己撮影用の撮影スタート／ストップ釦（撮影釦）９等を、それぞれ設けてある点は、前記第１実施例と同様である。
【００３２】
ここで、図１８，１９に示すように、レンズ鏡胴６は四角筒状に形成されており、その前縁両側にＬ字形の一対の係止部６ｂ，６ｂを一体突出形成してある。この一対の係止部６ｂ，６ｂに被写体Ｃを写し出す矩形の凸面鏡４０が着脱自在に取付けられるようになっている。この凸面鏡４０は、合成樹脂等からなる四角形環状のリング４１と、このリング４１に嵌合された矩形で凸球面状のハーフミラー４２とで構成されている。このリング４１の後面両側にはレンズ鏡胴６の一対の係止部６ｂ，６ｂに係脱されるコ字形の一対の係合部４１ｂ，４１ｂを一体突出形成してある。
【００３３】
そして、図２０に示すように、自分自身の姿を被写体Ｃとして撮影する際に、ビデオカメラ１Ｃのレンズ鏡胴６に取付けられた凸面鏡４０のハーフミラー４２に自分自身の姿が写し出され、カメラ本体２の前面の撮影スタート／ストップ釦９を押すことにより自己撮影することができる。この時、凸面鏡４０の光学系の光軸（軸芯）と撮影レンズ５の光軸（軸芯）とが完全に一致するようになっているので、パララックスは全く発生しない。また、凸面鏡４０のハーフミラー４２により撮影レンズ５に入る光量は減ってしまうが、屋外又は通常の屋内での撮影には何ら影響はない。大変暗い所で撮影する場合には、図１９に示すように、レンズ鏡胴６から凸面鏡４０を取り外して撮影できるようになっている。尚、凸面鏡４０正面が矩形になっているので、ハーフミラー４２に画枠を印刷する必要がない。
【００３４】
図２１において、１Ｄは、第４実施例の撮影装置としてのビデオカメラを示す。このビデオカメラ１Ｄは、略直方体形のカメラ本体２の右側面側にＶＴＲデッキ部２ａを、左側面上側に電子式のビューファインダー３を、前面上側にマイクロフォン４を、その左下側に撮影レンズ５や図示しない撮像素子（ＣＣＤ）等を内蔵した円筒状のレンズ鏡胴６を、上面後側にズーム釦７を、背面にバッテリー８を、前面の右下側に自己撮影用の撮影スタート／ストップ釦（撮影釦）９等を、それぞれ設けてある点は、前記第１実施例と同様である。
【００３５】
ここで、図２１，２２に示すように、レンズ鏡胴６の内周面の前側に形成されたねじ部６ａに、被写体Ｄを写し出す凸面鏡５０を着脱自在にしてある。この凸面鏡５０は、合成樹脂等の前，後ケース５２，５３からなる薄い直方体形の筐体５１と、この筐体５１の後ケース５３の円形開口部５３ａを覆うように取付けられた凸球面状のハーフミラー５４と、後ケース５３内において斜め上方に各ピン５５を介して往復移動する半透明の一対のフィン５６，５６と、後ケース５３内において一対のピン部５７ａ，５７ａを介して一対のフィン５６，５６を近接，離反する方向に往復移動させるリンク５７と、後ケース５３の背面側に取付けられ、リンク５７を回動させるステッピングモータ５８等で構成されている。
【００３６】
凸面鏡５０の後ケース５３の円形開口部５３ａの後側には上記レンズ鏡胴６のねじ部６ａに螺合するねじ部５３ｂを形成してある。また、凸面鏡５０の前ケース５２の後ケース５３の円形開口部５３ａに対向する位置には円形開口部５２ａを形成してある。さらに、各ケース５２，５３の円形開口部５２ａ，５３ａの中心と撮影レンズ５の光軸とが完全に一致するように形成してあり、パララックスが発生しないようになっている。
【００３７】
そして、凸面鏡５０の一対のフィン５６，５６の相対向する直角に切欠かれた各切欠部５６ａ，５６ａにより画枠が構成される。この凸面鏡５０の一対のフィン５６，５６の各切欠部５６ａ，５６ａからなる画枠は、ビデオカメラ１Ｄで被写体Ｄを撮影する際に、カメラ本体２から電源及び制御信号がコード５９を介してステッピングモータ５８に印加されて一対のフィン５６，５６が動くことにより自動的に可変される。即ち、撮影レンズ５等からなるズームレンズのズーミング動作（ズーム倍率）に連動して凸面鏡５０の一対のフィン５６，５６の各切欠部５６ａ，５６ａから構成される画枠の大きさが自動的に可変される。
【００３８】
図２３，２４において、１Ｅは第５実施例の撮影装置としてのビデオカメラを示す。このビデオカメラ１Ｅは、略直方体形のカメラ本体２の右側面側にＶＴＲデッキ部２ａを、左側面上側に電子式のビューファインダー３を、前面上側にマイクロフォン４を、その左下側に撮影レンズ５や図示しない撮像素子（ＣＣＤ）等を内蔵した円筒状のレンズ鏡胴６を、上面後側にズーム釦７を、背面にバッテリー８を、それぞれ設けてある点は、前記第１実施例と同様である。ここで、図２４に示すように、カメラ本体２の前面のレンズ鏡胴６の真横には被写体Ｅを写し出す凸面鏡１１（平面鏡でもよい）を固定してある。また、カメラ本体２の前面の凸面鏡１１の上方には、セルフタイマー撮影釦（第２の撮影操作手段）９ａ及びタイマー表示ランプ９ｂを設けてある。
【００３９】
そして、図２４に示すように、ビデオカメラ１Ｅを三脚Ｓに固定して自分自身を撮影する場合等において、ビデオカメラ１Ｅのカメラ本体２の前面のレンズ鏡胴６の真横に設けられた凸面鏡１１に自分自身の姿が被写体Ｅとして写し出されるのを見て、ビデオカメラ１Ｅで撮られる自分の姿が画面上のどの位置にくるかを簡単に確認できる。この凸面鏡１１に写る被写体Ｅはズームをワイド（広角）側にしたときのものであり、録画を開始する前にズーム釦７を押してズームを広角にする必要がある。また、再生時にＴＶのモニターに表示される画像は凸面鏡１１のものと左右逆であり、自分自身の姿を確認するには凸面鏡１１の方がはるかに便利である。
【００４０】
カメラ本体２の凸面鏡１１に写し出される被写体Ｅを見ながら撮影する際に、セルフタイマー撮影釦９ａを押すことにより撮影することができる。即ち、セルフタイマー撮影釦９ａを押すと、タイマー表示ランプ９ｂが点灯し、例えば５秒後に録画が自動的にスタートし、例えば１５秒後に録画が停止する。録画中はタイマー表示ランプ９ｂは点灯しており録画停止で消える。また、セルフタイマー撮影釦９ａを押すと、自動的にズームレンズをワイド側に動かす指示が与えられる（制御手段）ので、録画を開始する前にズーム釦７を押してズームを広角状態にしておく必要がない。このように、セルフタイマー撮影釦９ａで撮影する場合には、あと数秒で記録が開始されることを知らせると同時に、撮影レンズ５等のズームをワイド側にするので、時間を有効に使いながら被撮影者がポーズをつける時間が与えられる。
【００４１】
図２５において、１Ｆは、第６実施例の撮影装置としてのビデオカメラを示す。このビデオカメラ１Ｆは、略直方体形のカメラ本体２の右側面側にＶＴＲデッキ部２ａを、左側面上側に電子式のビューファインダー３を、前面上側にマイクロフォン４を、その左下側に撮影レンズ５や図示しない撮像素子（ＣＣＤ）等を内蔵した円筒状のレンズ鏡胴６を、上面後側にズーム釦７を、背面にバッテリー８を、それぞれ設けてある点は、前記第１実施例と同様である。ここで、図２５に示すように、レンズ鏡胴６に蝶番１２を介して合成樹脂製で円板状のレンズキャップ１３をカメラ本体２の前面（レンズ鏡胴６の真横）側より開閉自在に設けてある。このレンズキャップ１３の裏面には凸面鏡１４を固定してある。この凸面鏡１４には矩形環状の画枠１４ａを印刷してある。
【００４２】
そして、図２５に示すように、レンズキャップ１３を開けると、該レンズキャップ１３の開かれた状態が蝶番１２によりカメラ本体２の前面側に固定される。これにより、レンズキャップ１３の裏面の凸面鏡１４により被写体の画面上での位置を容易に確認することができる。
【００４３】
図２６〜２８において、１Ｇは第７実施例の撮影装置としてのビデオカメラを示す。このビデオカメラ１Ｇは、略直方体形のカメラ本体２の前面左側がＶＴＲデッキ部２ａになっている。このカメラ本体２の前面上側に撮影レンズ５や図示しない撮像素子（ＣＣＤ）等を内蔵したレンズ鏡胴６を一体的に形成してあり、その右側に光学式（スチルカメラと同じ覗き窓方式）のビューファインダー３′を設けてある。撮影レンズ５は×１倍と×３倍の切り換え式となっている。また、カメラ本体２の右側部がグリップ部２ｂになっており、その上面に撮影スタート／ストップ釦（撮影釦）９を設けてある。さらに、図２７に示すように、カメラ本体２の背面中央にはカラー液晶パネル等から成るモニター１５を設けてあり、このモニター１５をファインダーに使ったり再生用に使うことができるようになっている。
【００４４】
而して、カメラ本体２の上部には合成樹脂製のアダプタ６０を着脱自在に取付けてある。このアダプタ６０は、カメラ本体２の上部に嵌合される凹部６０ａと、この凹部６０ａの上面より垂直に一体突出形成された起立片部６０ｂを備えている。このアダプタ６０の凹部６０ａの前部の光学式のビューファインダー３′及び撮影レンズ５に対向する位置には矩形の孔６０ｃ及び丸形の孔６０ｄを形成してあると共に、該凹部６０ａの後部の光学式のビューファインダー３′に対向する位置には矩形の切欠部６０ｅを形成してある。これらの孔６０ｃ，６０ｄおよび切欠部６０ｅは光通過部を形成する。また、アダプタ６０の起立片部６０ｂの前面側中央には被写体Ｇを写し出す凸面鏡６１（平面鏡でもよい）を固定してある。この凸面鏡６１の大きさは撮影レンズ５を×１倍として使用するときの大きさであり、撮影レンズ５を×３倍として使用するための小さな矩形の画枠６１ａを印刷してある。
【００４５】
そして、ビデオカメラ１Ｇにより自分自身の姿を撮影する場合において、カメラ本体２の上部に取付けられたアダプタ６０の凸面鏡６１に自分自身の姿が被写体Ｇとして写し出されるのを見て、カメラ本体２の撮影スタート／ストップ釦９を押すことにより自分の姿が画面上のどの位置にあるかを確認しながら録画することができる。
【００４６】
図２９，３０において、１Ｈは第８実施例の撮影装置としてのビデオカメラを示す。このビデオカメラ１Ｈは、略直方体形のカメラ本体２の前面左側がＶＴＲデッキ部２ａになっている点、このカメラ本体２の前面上側に撮影レンズ５や図示しない撮像素子（ＣＣＤ）等を内蔵したレンズ鏡胴６を一体的に形成してあり、その右側に光学式のビューファインダー３′を設けてある点、撮影レンズ５は×１倍と×３倍の切り換え式となっている点、カメラ本体２の右側部がグリップ部２ｂになっており、その上面に撮影スタート／ストップ釦（撮影釦）９を設けてある点等は、前記第７実施例の構成と同様である。
【００４７】
ここで、カメラ本体２のレンズ鏡胴６に合成樹脂製のアダプタ７０を着脱自在に取付けてある。このアダプタ７０はコ字状に形成されて撮影レンズ５を覆うように取付けられるようになっている。このアダプタ７０の撮影レンズ５に対向する位置には矩形の孔７０ａを形成してある。このアダプタ７０の矩形の孔７０ａ（光通過部）に被写体を写し出す矩形の凸面鏡を成すハーフミラー７１を嵌め込んである。このハーフミラー７１の大きさは撮影レンズ５を×１倍として使用するときの大きさであり、撮影レンズ５を×３倍として使用するための小さな矩形環状の画枠７１ａを印刷してある。また、図２９に示すように、アダプタ７０をレンズ鏡胴６の撮影レンズ５を覆うようにカメラ本体２の左側面に合わせて嵌合すると、アダプタ７０のハーフミラー７１の光学系の光軸（軸芯）と撮影レンズ５の光軸（軸芯）とが完全に一致するようになっている。
【００４８】
そして、ビデオカメラ１Ｈにより自分自身を撮影する場合において、カメラ本体２の上部に取付けられたアダプタ７０のハーフミラー７１に自分自身の姿が写し出されるのを見て、カメラ本体２の撮影スタート／ストップ釦９を押すことにより自分自身の姿が画面上のどの位置にあるかを確認しながら録画することができる。この時、ハーフミラー７１の光学系の光軸と撮影レンズ５の光軸とが完全に一致するようになっているので、パララックスは全く発生しない。
【００４９】
尚、前記各実施例によれば、撮影装置としてビデオカメラについて説明したが、撮影装置はビデオカメラに限られるものではなく、スチルカメラに適用できることは勿論である。また、図３１，３２に示すビデオ会議システムに用いられるビデオカメラ１′のように、固定焦点の撮影レンズ５′の前方にハーフミラー状の凸面鏡１０′を配置してもよい。この場合に、テレビ会議の相手を上下，左右方向に回転できるようになっているモニター８０で見ながら、該モニター８０の上に設けられたビデオカメラ１′の凸面鏡１０′で自分自身の姿をチェックできるので、大変使い勝手がよい。
【００５０】
さらに、図３３に示す応用例のように、ビデオカメラ１を載置するパンテルター９０の上下，左右方向に回転する移動台９１の前面に凸面鏡９２を取付けてもよい。この凸面鏡９２に印刷された十字状のマーキング９２ａにより自分自身が画面の中央かどうかを確認でき、また、矩形環状の大小の２つの画枠９２ｂ，９２ｃにより自分自身の写り具合を知ることができる。この場合、大きい画枠９２ｂは広角側の画枠であり、小さい画枠９２ｃは望遠側の画枠である。
【００５１】
【発明の効果】
以上のように、この発明によれば、第２の撮影操作手段が操作されたときは、撮影を開始する前にズーム倍率を自動的にワイド側にするように制御する制御手段を有するので、カメラ本体の鏡胴を手前にして自分自身の前方でカメラ本体を持って自己撮影する際に、第２の撮影操作手段を操作すると、制御手段がズーミング操作手段を制御してズーム倍率を自動的にワイド側にし、凸面鏡を見ながら自己撮影をした場合に、ズームが望遠になっているのに気付かずに録画して顔の一部しか写っていなかったという従来の問題が未然に防止される。このため、自分自身の姿を誰でも簡単かつ適正に撮影することができる。また、第２の撮影操作手段が操作されてから所定の時間の経過後に撮影が開始されるセルフタイマー撮影が可能なので、第２の撮影操作手段が操作されたときには所定の時間が経過している間にズーム倍率が自動的にワイド側に制御され、セルフタイマー撮影では撮影が開始されるまでの所定の時間内にズーム倍率がワイド側となり、時間を有効に使いながら被撮影者がポーズを作る時間が与えられることになる。
【図面の簡単な説明】
【図１】この発明の第１実施例のビデオカメラを示す正面図。
【図２】上記第１実施例のビデオカメラの斜視図。
【図３】上記第１実施例のビデオカメラの使用状態を示す斜視図。
【図４】上記第１実施例のビデオカメラに使用される凸面鏡の他の態様を用いたビデオカメラ全体の斜視図。
【図５】上記第１実施例のビデオカメラに使用される凸面鏡の他の態様を用いたビデオカメラ全体の正面図。
【図６】第２実施例のビデオカメラの斜視図。
【図７】上記第２実施例のビデオカメラと凸面鏡の斜視図。
【図８】上記第２実施例のビデオカメラの使用状態を示す斜視図。
【図９】上記第２実施例のビデオカメラに用いられる撮影レンズの光学系の原理説明図。
【図１０】上記第２実施例のビデオカメラに用いられる凸面鏡の光学系の原理説明図。
【図１１】上記第２実施例のビデオカメラに用いられる凸面鏡の第２態様を示す斜視図。
【図１２】上記第２実施例のビデオカメラに用いられる凸面鏡の第３態様を示す斜視図。
【図１３】（ａ）は上記第２実施例のビデオカメラに用いられる凸面鏡の第４態様を示す斜視図、（ｂ）はそのモニター状態を示す斜視図。
【図１４】（ａ）は上記第２実施例のビデオカメラに用いられる凸面鏡の第５態様を示す斜視図、（ｂ）はそのモニター状態を示す斜視図。
【図１５】（ａ）は上記第２実施例のビデオカメラに用いられる凸面鏡の第６態様を示す斜視図、（ｂ）〜（ｄ）は同凸面鏡に用いられる画枠の大きさを変えるシートをそれぞれ示す斜視図。
【図１６】（ａ）は上記第２実施例のビデオカメラに用いられる凸面鏡の第７態様を示す斜視図、（ｂ）は同凸面鏡の断面図。
【図１７】（ａ）は上記第２実施例のビデオカメラに用いられる凸面鏡の第８態様を示す斜視図、（ｂ）は同凸面鏡の断面図。
【図１８】第３実施例のビデオカメラを示す斜視図。
【図１９】上記第３実施例のビデオカメラの要部の斜視図。
【図２０】上記第３実施例のビデオカメラの使用状態を示す正面図。
【図２１】上記第４実施例のビデオカメラの斜視図。
【図２２】上記第４実施例のビデオカメラに用いられる凸面鏡の内部構造を示す説明図。
【図２３】第５実施例のビデオカメラを示す斜視図。
【図２４】第５実施例のビデオカメラの使用状態を示す斜視図。
【図２５】第６実施例のビデオカメラを示す斜視図。
【図２６】第７実施例のビデオカメラを示す斜視図。
【図２７】上記第７実施例のビデオカメラを示す斜視図。
【図２８】上記第７実施例のビデオカメラを示す部分斜視図。
【図２９】第８実施例のビデオカメラを示す斜視図。
【図３０】上記第８実施例のビデオカメラを示す部分斜視図。
【図３１】第９実施例のビデオカメラを示す斜視図。
【図３２】上記第９実施例のビデオカメラの使用状態を示す斜視図。
【図３３】ビデオカメラを使用した応用例を示す斜視図。
【図３４】従来のビデオカメラを示す斜視図。
【図３５】（ａ），（ｂ）は上記従来のビデオカメラの使用状態を示す斜視図。
【符号の説明】
１Ａ〜１Ｈ…ビデオカメラ（撮影装置）
５…撮影レンズ
６…レンズ鏡胴（撮影手段）
９…撮影スタート／ストップ釦（第１の撮影操作手段）
９ａ…セルフタイマー撮影釦（第２の撮影操作手段）
【図１】
0003741089.tif 000002
【図２】
0003741089.tif 000003
【図３】
0003741089.tif 000004
【図４】
0003741089.tif 000005
【図５】
0003741089.tif 000006
【図６】
0003741089.tif 000007
【図７】
0003741089.tif 000008
【図８】
0003741089.tif 000009
【図９】
0003741089.tif 000010
【図１０】
0003741089.tif 000011
【図１１】
0003741089.tif 000012
【図１２】
0003741089.tif 000013
【図１３】
0003741089.tif 000014
【図１４】
0003741089.tif 000015
【図１５】
0003741089.tif 000016
【図１６】
0003741089.tif 000017
【図１７】
0003741089.tif 000018
【図１８】
0003741089.tif 000019
【図１９】
0003741089.tif 000020
【図２０】
0003741089.tif 000021
【図２１】
0003741089.tif 000022
【図２２】
0003741089.tif 000023
【図２３】
0003741089.tif 000024
【図２４】
0003741089.tif 000025
【図２５】
0003741089.tif 000026
【図２６】
0003741089.tif 000027
【図２７】
0003741089.tif 000028
【図２８】
0003741089.tif 000029
【図２９】
0003741089.tif 000030
【図３０】
0003741089.tif 000031
【図３１】
0003741089.tif 000032
【図３２】
0003741089.tif 000033
【図３３】
0003741089.tif 000034
【図３４】
0003741089.tif 000035
【図３５】
0003741089.tif 000036